(57)【要約】【課題】  釣銭準備金をセットする作業を削減でき、専用のカセット等を装備する必要のない現金処理装置を提供する。【解決手段】  操作卓（８）が接続された制御部（２）と、操作卓からの指令により制御部を通して制御され、入出金処理を行う紙幣処理部（３）及び硬貨処理部（４）とを備えた現金処理装置において、前記紙幣処理部及び硬貨処理部は、業務終了時に次回業務開始時に必要な釣銭準備金を装置内に残し、余剰金のみ回収する残置回収手段を有しているものである。【選択図】        図２
2005173960.tif 000002
【特許請求の範囲】
【請求項１】
操作卓が接続された制御部と、操作卓からの指令により制御部を通して制御され、入出金処理を行う紙幣処理部及び硬貨処理部とを備えた現金処理装置において、
前記紙幣処理部及び硬貨処理部は、業務終了時に次回業務開始時に必要な釣銭準備金を装置内に残し、余剰金のみ回収する残置回収手段を有していることを特徴とする現金処理装置。
【請求項２】
前記紙幣処理部の残置回収手段は、装置内の紙幣一時保留部及び集積部に必要な釣銭準備金を一旦収納し、余剰金を回収集積部に収納した後、紙幣一時保留部及び集積部に収納した釣銭準備金を所定の収納箇所に収納することを特徴とする請求項１記載の現金処理装置。
【請求項３】
前記釣銭は千円紙幣であり、釣銭準備金の収納箇所は千円カセットであることを特徴とする請求項２記載の現金処理装置。
【請求項４】
前記硬貨処理部の残置回収手段は、回収して空にした１円硬貨または５円硬貨収納部に金種ごとに各硬貨を収納し、収納した硬貨から必要な釣銭を各金種の収納部に収納し、余剰金を回収することを特徴とする請求項１記載の現金処理装置。
【発明の詳細な説明】
【技術分野】
【０００１】
本発明は駅の窓口等で使用する現金処理装置に関する。
【背景技術】
【０００２】
従来の現金処理装置は、通常、紙幣は紙幣で１つのカセット、硬貨は硬貨で１つのカセットにまとめて回収を行える機能を有しているが、釣銭準備金を残して回収する残置回収機能がない。そのため、釣銭準備金を新たにセットする必要があり、業務開始時の係員にとっては相当な手間となっていた。
【０００３】
なお、大型店舗等に複数設置されるレジスタの現金処理システムの場合、レジスタにセットされる貨幣収納ユニットにＩＤタグを装着してレジスタ側の処理機構と通信可能にし、このＩＤタグにＩＤコードや金額データ、釣銭準備金のデータを記憶できるようにし、各レジスタの貨幣収納ユニットからの貨幣の回収、貨幣収納ユニットへの釣銭準備金の補充は、別途設置した収納装置に各レジスタの収納ユニットをセットし、収納装置側の輸送ユニットにより行い、回収した売上金を釣銭準備金として使用するものが提案されているが（特許文献１）、レジスタ自体には残置回収機能はなく、別途収納装置を設置しなければならない。
【０００４】
また、自動券売機の現金処理において、現金処理装置と収納カセットの収納金額を個別に計数管理し、現金処理装置に指定金額を残して、残りの金額を収納カセットに移し替え、収納カセットを取り外して集計機で集計するものも提案されている（特許文献２）。
【特許文献１】特開平１０−１６２１９８号公報
【特許文献２】特開平１１−１１０６１２号公報
【発明の開示】
【発明が解決しようとする課題】
【０００５】
特許文献１に示すような従来の現金処理装置には残置回収機能がなく、そのため、釣銭準備金を新たにセットする必要があった。なお、特許文献２においては指定金額を残す機能を有しているが、別途、集計機と、この集計機に回収金額を移すための収納カセットが必要である。しかし、通常は、設置エリアに制限があるため、残置回収を実現するために現金処理装置に専用の機構を追加して装置サイズを変更することは困難である。
【０００６】
本発明は上記課題を解決しようとするものであり、釣銭準備金をセットする作業を削減でき、専用のカセット等を装備する必要のない現金処理装置を提供することを目的とする。
【課題を解決するための手段】
【０００７】
本発明は、操作卓が接続された制御部と、操作卓からの指令により制御部を通して制御され、入出金処理を行う紙幣処理部及び硬貨処理部とを備えた現金処理装置において、前記紙幣処理部及び硬貨処理部は、業務終了時に次回業務開始時に必要な釣銭準備金を装置内に残し、余剰金のみ回収する残置回収手段を有していることを特徴とする。
また、本発明は、前記紙幣処理部の残置回収手段が、装置内の紙幣一時保留部及び集積部に必要な釣銭準備金を一旦収納し、余剰金を回収集積部に収納した後、紙幣一時保留部及び集積部に収納した釣銭準備金を所定の収納箇所に収納することを特徴とする。
また、本発明は、前記釣銭が千円紙幣であり、釣銭準備金の収納箇所は千円カセットであることを特徴とする。
また、本発明は、前記硬貨処理部の残置回収手段が、回収して空にした１円硬貨または５円硬貨収納部に金種ごとに各硬貨を収納し、収納した硬貨から必要な釣銭を各金種の収納部に収納し、余剰金を回収することを特徴とする。
【発明の効果】
【０００８】
本発明は、専用の装置やカセット等を設けたり、装備や装置サイズを変更する必要なく現金処理装置に残置回収機能を持たせることが可能であり、業務開始時の係員の作業負担を軽減し、業務開始準備にかかる時間を短縮することが可能である。
【発明を実施するための最良の形態】
【０００９】
以下、本発明の実施の形態について説明する。
図１は本実施形態の現金入出金機の外観図である。
現金入出金機１は駅の緑の窓口等に設置されて係員が操作する入出金機で、正面上側に紙幣入出金口１１、硬貨入金口５０、硬貨出金口５１が設けられ、正面扉に扉の開け閉めをする把手５、入金した貨幣の返却レバー６、異物返却口７等が設けられている。
【００１０】
図２は現金入出金機の制御系を説明する平面図である。
現金入出金機１内には係員が操作する操作卓８に接続された制御部２が設けられている。操作卓８は数字キー、入金、出金、返却、回収、残置回収等の各種機能キーや表示画面を有し、係員の操作により操作卓８から制御部２に対して各種指示が送られる。制御部２は操作卓８からの指示に基づいて紙幣処理部３、硬貨処理部４を制御し、入金、出金、返却、回収、残置回収等の入出金処理が行われる。
【００１１】
図３は本実施形態の紙幣処理部の構成を説明する図である。
入出金口部１１は、紙幣を投入（入金、補充）、投出（出金、返却）する部分であり、紙幣を長手方向にして、一括最大投入枚数１００枚、一括最大投出枚数５０枚である。入出金口部１１から入金または出金される紙幣は一括水平積み置き方式で一括集積部１２に一時保留または集積され、本実施形態では最大保留枚数は１００枚、最大集積枚数は５０枚である。入出金口部から投入された一括集積部１２の紙幣は最大一括搬送枚数１００枚の一括搬送部１３により繰り出し部１４へ一括して搬送され、ここで１枚ごとに分離して繰り出される。なお、繰り出し部１４は最大１００枚まで保留できる。
【００１２】
繰り出し部１４から１枚ごとに分離して繰り出された紙幣は幅寄せ部１５で幅寄せを行って識別部１６まで搬送され、識別部１６で金種識別される。識別部１６では金種識別と枚数をカウントし、識別された紙幣は、下部垂直搬送部１７により千円保留部２６、５千円１枚保留部２４、５千円／リジェクト回収部２３、万円保留部２２、上部垂直搬送部１８へ搬送される。上部垂直搬送部１８は、下部垂直搬送部１７、カセット部２０から２千円／５千円保留部２７や一括集積部１２へ紙幣を搬送する。
【００１３】
カセット部２０はカセットセット部３０でカセットのセット、検知を行う。このカセット部２０において、万円集積部２１は万円の収納、出金を行い、最大収納枚数約１０００枚で、設定により２千円紙幣を収納する。万円保留部２２は万円の一時保留を行い、最大収納枚数２０枚である。５千円／リジェクト回収部２３は５千円／リジェクト紙幣を収納し、最大収納枚数は約６０枚で、設定により２千円紙幣を収納する。５千円１枚保留部２４は釣銭用に５千円１枚を収納する。千円集積部２５は千円の収納、出金を行い、最大収納枚数は約５５０枚である。千円保留部２６は千円の一時保留を行い、最大収納枚数は２０枚である。２千円／５千円保留部２７は２千円、５千円、リジェクト紙幣の一時保留を行い、最大保留枚数は３０枚で、紙幣を１枚ごとに分離し、繰り出しを行う。なお、万円繰り出し部２８、千円繰り出し部２９は、それぞれ万円集積部と千円集積部から紙幣の繰り出しを行う。
【００１４】
このような構成において、操作卓８の指令に基づいて、入金時に入出金口部１１から一括して投入された紙幣、補充時に入出金口部１１に一括して置かれた紙幣を一括搬送し、繰り出し部１４で１枚づつ分離して繰り出し、識別部１６での金種識別結果により識別不能券（リジェクト券）は入出金口部へ返却し、正常券は各保留部に集積後、カセットに収納する。出金時には、各カセットより指定された金種、枚数を１枚づつ繰り出し、入出金口部１１に集積し、集積された紙幣を一括放出する。なお、締切り業務で使用する回収機能では、紙幣は千円カセットから万円カセットへ回収する。
【００１５】
次に、紙幣処理部の搬送ルート（入出金、返却、回収のパスルート）について概略説明する。
図４は入金パスルートを説明する図であり、太線は入金時パスルート、破線は紙幣識別ができない返却時パスルートを示している。
入出金口部１１から入金された紙幣は一括集積部１２から繰り出し部１４へ一括搬送され、繰り出し１４から１枚づづ繰り出されて識別部１６で金種識別及び枚数が計数される。そして、正常券は千円保留部２６、万円保留部２２、２千円／５千円保留部２７へ搬送されて保留され、リジェクト券は破線で示すルートで入出金口部１１から返却される。
【００１６】
図５は入金返却パスルートを説明する図である。
入金の返却は、操作卓の取り消しボタンを操作すると、そのとき入金されて各保留部にある紙幣が全て返却される。返却の順序は、２千円／５千円保留部２７、次いで万円保留部２２、最後に千円保留部２６からそれぞれ一括集積部１２へ順次搬送して入出金口部１１から返却する。
【００１７】
図６は保留部にある入金紙幣を集積部へ収納するパスルートを説明する図である。
操作卓８の確認ボタンを押下することにより、各保留部にある入金紙幣は集積部へ収納される。すなわち、千円保留部２６に保留されている千円紙幣は千円集積部２５へ、万円保留部２２に保留されている万円紙幣は万円集積部２１へそれぞれ収納される。２千円／５千円保留部２７に保留されている紙幣は、一旦一括集積部１２へ搬送された後、繰り出し部１４へ一括搬送され、識別部１６で再識別とともに枚数カウントされ、釣銭用に５千円１枚だけ５千円１枚保留部２４に収納し、５千円紙幣と再識別時のリジェクト紙幣は５千円／リジェクト回収部２３に収納する。また、２千円紙幣は万円保留部２２に混合保留して万円集積部に集積する。
【００１８】
図７は出金パスルートを説明する図である。
出金処理は、操作卓８で払い戻す金額を入力して確認ボタンを押すことにより行われる。出金額に応じて万円、５千円、千円の枚数が計算され、万円集積部２１、５千円１枚保留部２４、千円集積部２５から各紙幣が必要枚数搬送される。出金判定部４０では簡易的な金種判定を行って一括集積部１２へ搬送して入出金口部１１から出金する。なお、出金判定部４０でリジェクト紙幣、２０００円券を検出した場合には５千円／２千円保留部２７へ搬送する。
【００１９】
次に、出金から待避位置、待避位置から万円金庫までの回収パスルートを図８、図９により説明する。
図８は出金から待避位置までのパスルートを説明する図、図９は待避位置から万円金庫までの回収パスルートを説明する図である。
千円集積部２５に収納されている紙幣を千円繰り出し部２９より１枚づつ繰り出し、２千円／５千円保留部２７を通し、識別部１６で券種の識別と枚数カウントを行って千円保留部２６に収納して待避させる（図８）。次いで、待避した紙幣を万円保留部２２に搬送し、万円保留部から万円集積部２１に移す（図９）。図８、図９の処理を千円集積部２５が空になるまで行うことにより、万円金庫に回収する。
【００２０】
次に、装置内の保留部、集積部、繰り出し部を利用した紙幣の残置回収の例を図１０〜図１２により説明する。残置回収は締切り業務で行う処理で、残置回収ボタンを押下することにより行われる。なお、ここでは釣銭準備金として必要な金種は千円で、ここでは千円紙幣１７０枚（設定により変更可能）を残して回収する例について説明する。
残置回収ボタンを押下すると以下の処理が回収される。千円カセットから千円紙幣を１枚づつ繰り出し、一括集積部（最大収納枚数５０枚）に５０枚集積し（図１０（ａ））、一括集積部に集積された紙幣５０枚を繰り出し部に一括搬送する（図１０（ｂ））。次いで、千円カセットから千円紙幣を１枚づつ繰り出し、一括集積部に５０枚集積する（図１０（ｃ））。次いで、千円カセットから紙幣を１枚づつ繰り出し、５千円／２千円保留部（最大収納枚数３０枚）に３０枚集積する（図１０（ｄ））。これで一括集積部、繰り出し部、５千円／２千円保留部の合計枚数は１３０枚である。
【００２１】
次に、５千円／２千円保留部から紙幣を１枚づつ繰り出し、千円カセット保留部（最大収納枚数２０枚）に２０枚集積し（図１０（ｅ））、千円カセットから紙幣を１枚づつ繰り出し、５千円／２千円保留部に２０枚集積する（図１０（ｆ））。次いで、５千円／２千円保留部から紙幣を１枚づつ繰り出し、万円保留部（最大収納枚数２０枚）に２０枚集積し（図１１（ａ））、次いで、千円カセットから１枚づつ繰り出し、５千円／２千円保留部に２０枚集積する（図１１（ｂ））。これで一括集積部、繰り出し部、５千円／２千円保留部、万円保留部の合計枚数は１７０枚である。この状態で千円カセットにまだ紙幣がある場合、万円保留部の紙幣を万円カセットに収納し、図１１（ａ）〜図１１（ｃ）の処理を行って一括集積部、繰り出し部、５千円／２千円保留部、千円保留部、万円保留部の合計枚数が１７０枚の状態を維持する。
【００２２】
千円カセットの紙幣を全て繰り出した後、千円保留部の紙幣２０枚を千円カセットに集積する（図１１（ｄ））。次いで、５千円／２千円保留部から紙幣を１枚づつ繰り出し、千円保留部に２０枚集積し、これを千円カセットに収納した後、５千円／２千円保留部から紙幣を１枚づつ繰り出し、千円保留部に１０枚集積し、これを千円カセットに収納する（図１１（ｅ））。これで千円カセットの収納枚数は５０枚となる。
【００２３】
次いで、繰り出し部から紙幣を１枚づつ繰り出し、千円保留部に２０枚集積後、千円カセットに収納し、これを３回繰り返すことで繰り出し部の５０枚を千円カセットに収納する（図１１（ｆ））。これで、千円カセットの収納枚数は１００枚となる。このように、装置内の一時保留部、一時集積部、繰り出し部を利用し、専用のカセット等を設けずに残置回収することが可能となる。
【００２４】
次いで、一括集積部に集積された紙幣５０枚を繰り出し部へ一括搬送する（図１２（ａ））。繰り出し部から紙幣を１枚づつ繰り出し、千円保留部に２０枚集積後、千円カセットに収納し、これを３回繰り返すことで繰り出し部の５０枚を千円カセットに収納する（図１２（ｂ））。これで、千円カセットの収納枚数は１５０枚となる。
【００２５】
次いで、万円保留部の紙幣２０枚を一括集積部に搬送し（図１２（ｃ））、一括集積部に集積された紙幣を繰り出し部へ一括搬送する（図１２（ｄ））。次いで、繰り出し部の紙幣２０枚を１枚づつ繰り出し、千円保留部へ搬送した後、千円カセットに収納する（図１２（ｅ））。これで、千円カセットには１７０枚の紙幣が収納され、万円カセット内の紙幣が回収される。
【００２６】
次に硬貨についての処理を説明する。
図１３は本実施形態の硬貨処理部の構成を説明する図である。
硬貨の入金は、硬貨入金口５０より一括投げ入れ方式で投入し、最大投入枚数は約５０枚であり、投入された硬貨はホッパー部６２で１枚ごとに繰り出される。硬貨の出金は硬貨出金口５１で行い、最大投出枚数は約５０枚である。投入された硬貨は、硬貨判別部５２で金種判別された後、振り分け搬送部５３で金種ごとに振り分けられ金種別に一時保留部５４に保留される。最大保留枚数は各金種ごと２０枚である。一時保留された硬貨は、それぞれスタッカ部５６に収納される。スタッカ部は各金種の収納、出金を行う部分で、１円スタッカ（最大収納枚数約２５０枚）、５円スタッカ（最大収納枚数約２００枚）、１０円スタッカ（最大収納枚数約２００枚）、５０円スタッカ（最大収納枚数約２００枚）、１００円スタッカ（最大収納枚数約２００枚）、５００円スタッカ（最大収納枚数約１５０枚）が用意されている。
【００２７】
硬貨判別で識別不能の硬貨、取消ボタンの操作による返却硬貨は、リジェクト搬送路５７、水平搬送路５８、出金搬送部５９、返却搬送部６０を通して硬貨出金口５１から返却される。操作卓で出金操作が行われた場合、スタッカ部５６、水平搬送路５８、出金搬送部５９を通して硬貨出金口５１から出金する。
【００２８】
次に、硬貨処理部の搬送ルート（入出金、返却、補充、回収のパスルート）について概略説明する。
図１４は入金から保留までの入金パスルートを説明する図であり、実線は入金時、破線は識別ＮＧ時を示している。
硬貨入金口５０から入金された硬貨は、硬貨判別部で金種判別された後、振り分け搬送部で金種ごとに振り分けられ、金種別一時保留部５４にそれぞれ収納される。硬貨判別部で金種識別ができなかった硬貨は、リジェクト搬送路、水平搬送路、出金搬送部を通って硬貨出金口５１からリジェクトされる。
【００２９】
図１５は硬貨種別収納／返却パスルートを説明する図であり、実線は硬貨収納時、破線は返却時を示している。
金種別一時保留部に収納された硬貨は、操作卓側で確認ボタンを押下することにより、各スタッカに収納され、取消ボタンを操作すると、返却搬送部、出金搬送部を通って硬貨出金口５１から返却される。
【００３０】
図１６は出金パスルートを説明する図である。
出金はスタッカ部５６に収納されている硬貨を放出する処理であり、操作卓で金額を入力し、出金ボタンを操作すると入力した額の硬貨が各スタッカから水平搬送路、出金搬送部を通して硬貨出金口より出金される。
【００３１】
図１７は補充時のパスルートを説明する図であり、実線は補充時、破線は識別ＮＧ時を示している。
硬貨入金口５０から入金された硬貨は、硬貨判別部で金種判別された後、振り分け搬送部で金種ごとに振り分けられ、スタッカ部５６にそれぞれ収納される。硬貨判別部で金種識別ができなかった硬貨は、リジェクト搬送路、水平搬送路、出金搬送部を通って硬貨出金口５１からリジェクトされる。
【００３２】
図１８は回収パスルートを説明する図である。
操作卓の回収ボタンを操作すると、スタッカ部５６に収納されている硬貨は、水平搬送路を通って回収カセット６１に搬送されて回収される。
【００３３】
次に、図１９、図２０により硬貨の残置回収について説明する。紙幣処理部と同様に、残置回収は締切り業務で行う処理で、残置回収ボタンを押下することにより行われる。ここでは、釣銭準備金（額は設定により変更可能）として必要な金種は１０円、５０円、１００円、５００円の４金種であり、１円スタッカまたは５円スタッカを利用して残置回収する例について説明する。
残置回収処理においては、まず１円スタッカ、５円スタッカに収納されている硬貨を全て回収カセットに収納して回収する（図１９（ａ））。次いで１０円スタッカ内の硬貨を水平搬送部から硬貨出金口へ搬送し、硬貨出金口から硬貨入金口へ移した後、１円または５円スタッカに一旦収納する（図１９（ｂ））。なお、硬貨出金口から硬貨入金口への硬貨の移行は、硬貨出金口と硬貨入金口との間にゲートを設けることにより実現する。次いで、１円または５円スタッカに収納した１０円硬貨を再度、水平搬送部から硬貨出金口へ搬送し、硬貨出金口から硬貨入金口へ移し、硬貨判別部で金種の識別と枚数をカウントして、必要枚数だけ１０円スタッカに収納し（図１９（ｃ））、１円または５円スタッカ内の残りの１０円硬貨は回収カセットに収納して回収する。残り硬貨の回収は１円または５円スタッカに搬送する過程で行う事もできる。
【００３４】
５０円硬貨についても同様に、５０円スタッカ内の硬貨を水平搬送部から硬貨出金口へ搬送し、硬貨出金口から硬貨入金口へ移した後、１円または５円スタッカに一旦収納する（図１９（ｄ））。次いで、１円または５円スタッカに収納した５０円硬貨を再度、水平搬送部から硬貨出金口へ搬送し、硬貨出金口から硬貨入金口へ移し、硬貨判別部で金種の識別と枚数をカウントして、必要枚数だけ５０円スタッカに収納し（図１９（ｅ））、１円または５円スタッカ内の残りの５０円硬貨は回収カセットに収納して回収する。残り硬貨の回収は１円または５円スタッカに搬送する過程で行う事もできる。
【００３５】
１００円硬貨についても同様に、１００円スタッカ内の硬貨を水平搬送部から硬貨出金口へ搬送し、硬貨出金口から硬貨入金口へ移した後、１円または５円スタッカに一旦収納する（図１９（ｆ））。次いで、１円または５円スタッカに収納した１００円硬貨を再度、水平搬送部から硬貨出金口へ搬送し、硬貨出金口から硬貨入金口へ移し、硬貨判別部で金種の識別と枚数をカウントして、必要枚数だけ１００円スタッカに収納し（図２０（ａ））、１円または５円スタッカ内の残りの１００円硬貨は回収カセットに収納して回収する。
【００３６】
５００円硬貨についても同様に、５００円スタッカ内の硬貨を水平搬送部から硬貨出金口へ搬送し、硬貨出金口から硬貨入金口へ移した後、１円または５円スタッカに一旦収納する（図２０（ｂ））。次いで、１円または５円スタッカに収納した５００円硬貨を再度、水平搬送部から硬貨出金口へ搬送し、硬貨出金口から硬貨入金口へ移し、硬貨判別部で金種の識別と枚数をカウントして、必要枚数だけ５００円スタッカに収納し（図２０（ｃ））、１円または５円スタッカ内の残りの５００円硬貨は回収カセットに収納して回収する。残り硬貨の回収は１円または５円スタッカに搬送する過程で行う事もできる。
【産業上の利用可能性】
【００３７】
本発明によれば、業務開始時の係員の作業負担を軽減し、業務開始準備にかかる時間を短縮することができるので、産業上の利用価値は大きい。
【図面の簡単な説明】
【００３８】
【図１】本実施形態の現金入出金機の外観図図である。
【図２】現金入出金機の制御系を説明する平面図である。
【図３】紙幣処理部の構成を説明する図である。
【図４】入金パスルートを説明する図である。
【図５】返却パスルートを説明する図である。
【図６】入金紙幣を集積部へ収納するパスルートを説明する図である。
【図７】出金パスルートを説明する図である。
【図８】出金から待避位置までの回収パスルートを説明する図である。
【図９】待避位置から万円金庫までの回収パスルートを説明する図である。
【図１０】残置回収の例を説明する図である。
【図１１】残置回収の例を説明する図である。
【図１２】残置回収の例を説明する図である。
【図１３】本実施形態の硬貨処理部の構成を説明する図である。
【図１４】入金から保留までの入金パスルートを説明する図である。
【図１５】硬貨種別収納／返却パスルールを説明する図である。
【図１６】出金パスルートを説明する図である。
【図１７】補充時のパスルートを説明する図である。
【図１８】回収パスルートを説明する図である。
【図１９】硬貨の残置回収を説明する図である。
【図２０】硬貨の残置回収を説明する図である。
【符号の説明】
【００３９】
１…現金入出金機、２…制御部、３…紙幣処理部、４…硬貨処理部、５…把手、６…返却レバー、７…異物返却口、１１…紙幣入出金口、５０…硬貨入金口、５１…硬貨出金口。
【図１】
2005173960.tif 000003
【図２】
2005173960.tif 000004
【図３】
2005173960.tif 000005
【図４】
2005173960.tif 000006
【図５】
2005173960.tif 000007
【図６】
2005173960.tif 000008
【図７】
2005173960.tif 000009
【図８】
2005173960.tif 000010
【図９】
2005173960.tif 000011
【図１０】
2005173960.tif 000012
【図１１】
2005173960.tif 000013
【図１２】
2005173960.tif 000014
【図１３】
2005173960.tif 000015
【図１４】
2005173960.tif 000016
【図１５】
2005173960.tif 000017
【図１６】
2005173960.tif 000018
【図１７】
2005173960.tif 000019
【図１８】
2005173960.tif 000020
【図１９】
2005173960.tif 000021
【図２０】
2005173960.tif 000022